(57)【要約】【課題】  チューブをインレットからウオッシャタンク内に挿入したり、引き抜くことなく、ウオッシャタンク内のウオッシャ液の残量を簡単に確認することができるウオッシャタンク用レベルゲージを提供する。【解決手段】  ウオッシャタンク１に設けられたインレット７の注入口９に嵌合自在にされ、上部に空気抜き孔１１ｄが設けられると共に下部に空気抜き孔１１ｄと連通する円筒状の管部１２が設けられたキャップ１１と、このキャップ１１の円筒状の管部１２に連結され、インレット７からウオッシャタンク１内のウオッシャ液Ｗの中に挿入されるチューブ１７とを備え、空気抜き孔１１ｄを塞いだ状態で該チューブ１７内にウオッシャタンク１内のウオッシャ液Ｗを残留させるようにしたウオッシャタンク用レベルゲージ１０において、キャップ１１の上部に空気抜き孔１１ｄを覆うスポイト体１３を設けた。【選択図】      図２
2006111131.tif 000002
【特許請求の範囲】
【請求項１】
ウオッシャタンクに設けられたインレットの注入口に嵌合自在にされ、上部に空気抜き孔が設けられると共に下部に該空気抜き孔と連通する管部が設けられたキャップと、このキャップの管部に連結され、前記インレットから前記ウオッシャタンク内のウオッシャ液の中に挿入されるチューブとを備え、前記空気抜き孔を塞いだ状態で前記チューブ内に前記ウオッシャタンク内のウオッシャ液を残留させるようにしたウオッシャタンク用レベルゲージにおいて、
前記キャップの上部に前記空気抜き孔を覆うスポイト体を設けたことを特徴とするウオッシャタンク用レベルゲージ。
【請求項２】
請求項１記載のウオッシャタンク用レベルゲージであって、
前記スポイト体を円板状の上部と該上部の外周より下方に伸縮自在に延びる筒部と該筒部の下端開口を閉塞すると共に前記空気抜き孔を該スポイト体の内部に連通する円板環状の下部とで形成し、このスポイト体の上部に空気抜き孔を設け、かつ前記スポイト体の筒部に残量有無表示ラインを設けたことを特徴とするウオッシャタンク用レベルゲージ。
【請求項３】
請求項１記載のウオッシャタンク用レベルゲージであって、
前記スポイト体を円板状の上部と該上部の外周より下方に伸縮自在に延びる筒部と該筒部の下端開口を閉塞すると共に前記空気抜き孔を該スポイト体の内部に連通する円板環状の下部とで形成し、このスポイト体の上部に空気抜き孔を有するつまみ部を設け、かつ前記スポイト体の筒部に残量有無表示ラインを設けたことを特徴とするウオッシャタンク用レベルゲージ。
【請求項４】
請求項１記載のウオッシャタンク用レベルゲージであって、
前記キャップの上部の空気抜き孔と下部の管部とを円筒状の筒部で一体形成し、この円筒状の筒部内に円柱状のスポイト体を摺動自在に支持し、かつ前記円筒状の筒部に残量有無表示ラインを設けたことを特徴とするウオッシャタンク用レベルゲージ。
【請求項５】
請求項１記載のウオッシャタンク用レベルゲージであって、
前記スポイト体を円板状の上部と該上部の外周より下方に伸縮自在に延びる筒部と該筒部の下端開口を閉塞すると共に前記空気抜き孔を該スポイト体の内部に連通する円板環状の下部とで形成し、このスポイト体の上部にボンネットのフードインナを押圧、離反自在に設け、かつ前記スポイト体の筒部に残量有無表示ラインを設けたことを特徴とするウオッシャタンク用レベルゲージ。
【発明の詳細な説明】
【技術分野】
【０００１】
本発明は、車輌のウインドシールドガラスを洗浄するためのウオッシャ液を貯留するウオッシャタンク内の該ウオッシャ液の貯留量（残量）を計るウオッシャタンク用レベルゲージに関する。
【背景技術】
【０００２】
従来のウオッシャタンク用レベルゲージは、ウオッシャタンクに設けられたインレットの注入口に嵌合自在にされ、上部に空気抜き孔を有するつまみ部を設けたキャップと、このキャップの下部に前記つまみ部の空気抜き孔と連通するように設けられた円筒状の管部に連結され、前記インレットから前記ウオッシャタンク内のウオッシャ液の中に挿入される長尺のチューブとで構成されていた。
【０００３】
そして、片手でキャップのつまみ部をつまむと共に、該つまみ部の空気抜き孔を塞いだ状態でチューブをウオッシャタンク及びインレットから引き抜き、該チューブ内に大気の圧力に押されて残留したウオッシャ液の量からウオッシャタンク内のウオッシャ液の残量の有無を確認していた（例えば、特許文献１参照）。
【０００４】
【特許文献１】特開２００３−２４６２６１号公報
【発明の開示】
【発明が解決しようとする課題】
【０００５】
しかしながら、前記従来のウオッシャタンク用レベルゲージでは、チューブをインレットからウオッシャタンク内に挿入したり、引き抜くことにより、ウオッシャタンク内のウオッシャ液の残量を確認していたため、チューブの挿入及び引き抜き作業が必要不可欠となって、ウオッシャ液の残量の確認作業が煩雑であった。
【０００６】
特に、ウオッシャ液を注入するインレットがクランク状でしかも三次元的に曲がっている場合には、このインレットの内壁と長尺のチューブとのすべり抵抗が大きいため、チューブをインレットからウオッシャタンク内に挿入したり、引き抜くことが難しく、ウオッシャタンク内のウオッシャ液の残量を確認することが非常に煩雑であった。
【０００７】
そこで、本発明は、前記した課題を解決すべくなされたものであり、チューブをインレットからウオッシャタンク内に挿入したり、引き抜くことなく、ウオッシャタンク内のウオッシャ液の残量を簡単に確認することができるウオッシャタンク用レベルゲージを提供することを目的とする。
【課題を解決するための手段】
【０００８】
請求項１の発明は、ウオッシャタンクに設けられたインレットの注入口に嵌合自在にされ、上部に空気抜き孔が設けられると共に下部に該空気抜き孔と連通する管部が設けられたキャップと、このキャップの管部に連結され、前記インレットから前記ウオッシャタンク内のウオッシャ液の中に挿入されるチューブとを備え、前記空気抜き孔を塞いだ状態で前記チューブ内に前記ウオッシャタンク内のウオッシャ液を残留させるようにしたウオッシャタンク用レベルゲージにおいて、前記キャップの上部に前記空気抜き孔を覆うスポイト体を設けたことを特徴とする。
【０００９】
請求項２の発明は、請求項１記載のウオッシャタンク用レベルゲージであって、前記スポイト体を円板状の上部と該上部の外周より下方に伸縮自在に延びる筒部と該筒部の下端開口を閉塞すると共に前記空気抜き孔を該スポイト体の内部に連通する円板環状の下部とで形成し、このスポイト体の上部に空気抜き孔を設け、かつ前記スポイト体の筒部に残量有無表示ラインを設けたことを特徴とする。
【００１０】
請求項３の発明は、請求項１記載のウオッシャタンク用レベルゲージであって、前記スポイト体を円板状の上部と該上部の外周より下方に伸縮自在に延びる筒部と該筒部の下端開口を閉塞すると共に前記空気抜き孔を該スポイト体の内部に連通する円板環状の下部とで形成し、このスポイト体の上部に空気抜き孔を有するつまみ部を設け、かつ前記スポイト体の筒部に残量有無表示ラインを設けたことを特徴とする。
【００１１】
請求項４の発明は、請求項１記載のウオッシャタンク用レベルゲージであって、前記キャップの上部の空気抜き孔と下部の管部とを円筒状の筒部で一体形成し、この円筒状の筒部内に円柱状のスポイト体を摺動自在に支持し、かつ前記円筒状の筒部に残量有無表示ラインを設けたことを特徴とする。
【００１２】
請求項５の発明は、請求項１記載のウオッシャタンク用レベルゲージであって、前記スポイト体を円板状の上部と該上部の外周より下方に伸縮自在に延びる筒部と該筒部の下端開口を閉塞すると共に前記空気抜き孔を該スポイト体の内部に連通する円板環状の下部とで形成し、このスポイト体の上部にボンネットのフードインナを押圧、離反自在に設け、かつ前記スポイト体の筒部に残量有無表示ラインを設けたことを特徴とする。
【発明の効果】
【００１３】
請求項１の発明によれば、キャップの上部に空気抜き孔を覆うスポイト体を設けたことにより、このスポイト体内にウオッシャ液を簡単に吸い込むことができるため、チューブをインレットからウオッシャタンク内に挿入したり、引き抜くことなく、ウオッシャタンク内のウオッシャ液の貯留量を簡単に計ることができる。
【００１４】
請求項２の発明によれば、スポイト体の筒部の伸縮を利用して該筒部内にウオッシャ液を簡単に吸い上げることができるため、チューブをインレットからウオッシャタンク内に挿入したり、引き抜くことなく、ウオッシャタンク内のウオッシャ液の残量を簡単に確認することができる。
【００１５】
請求項３の発明によれば、スポイト体の筒部の伸縮及びつまみ部を利用して該筒部内にウオッシャ液を簡単に吸い上げることができるため、チューブをインレットからウオッシャタンク内に挿入したり、引き抜くことなく、ウオッシャタンク内のウオッシャ液の残量を簡単に確認することができる。
【００１６】
請求項４の発明によれば、円筒状の筒部内に円柱状のスポイト体を摺動させて該円筒状の筒部内にウオッシャ液を簡単に吸い上げることができるため、チューブをインレットからウオッシャタンク内に挿入したり、引き抜くことなく、ウオッシャタンク内のウオッシャ液の残量を簡単に確認することができる。
【００１７】
請求項５の発明によれば、ボンネットを開けるだけで、スポイト体の筒部の伸縮を利用して該筒部内にウオッシャ液を簡単に吸い上げることができるため、チューブをインレットからウオッシャタンク内に挿入したり、引き抜くことなく、ウオッシャタンク内のウオッシャ液の残量を簡単に確認することができる。
【発明を実施するための最良の形態】
【００１８】
以下、本発明の実施例１を図面に基づいて説明する。
【実施例１】
【００１９】
図１は本発明の実施例１のウオッシャタンク用レベルゲージを備えたウオッシャタンクを一部断面で示す正面図、図２（ａ）〜図２（ｃ）はウオッシャ液の残量が有る場合の同レベルゲージによる計測状態を順を追って説明する断面図、図３（ａ）〜図３（ｃ）はウオッシャ液の残量が無い場合の同レベルゲージによる計測状態を順を追って説明する断面図、図８は図２（ａ）〜図２（ｃ）に示すキャップの底面図である。
【００２０】
図１に示すように、ウオッシャタンク１は、上面開口部の外周に鍔部２ａを有した合成樹脂製で箱形の下タンク２と、下面開口部の外周に鍔部３ａを有し、この鍔部３ａを下タンク２の上面開口部の外周の鍔部２ａに密接させて内部にウオッシャ液Ｗの貯留槽を形成する合成樹脂製で箱形の上タンク３とで構成されている。この下タンク２の側面には車輌取付用のブラケット４を一体突出形成してある。また、上タンク３の上面には車輌取付用のブラケット５を一体突出形成してあると共に、円筒状のインレット取付部６を一体突出形成してある。
【００２１】
図１に示すように、上タンク３のインレット取付部６には、クランク状（平面略Ｌ字状で正面略Ｚ字状）で三次元的に曲がっている軟質樹脂製で円筒状のインレット７の基端部８を嵌合自在に取り付けてある。このインレット７の先端側がウオッシャ液Ｗを注入する注入口９になっている。
【００２２】
図１〜図３に示すように、ウオッシャタンク１内のウオッシャ液Ｗの貯留量を計るウオッシャタンク用レベルゲージ１０は、円板状の平坦部１１ａの表面（上部）１１ｂの中央に空気抜き孔１１ｄを有する合成樹脂製のキャップ１１と、このキャップ１１の平坦部１１ａの表面１１ｂの中央に空気抜き孔１１ｄを覆うと共に該空気抜き孔１１ｄと連通するように一体形成されたスポイト体１３と、キャップ１１の平坦部１１ａの裏面（下部）１１ｃの中央に空気抜き孔１１ｄと連通するように一体突出形成された円筒状の管部１２の先細の先端部１２ａに連結され、インレット７からウオッシャタンク１内のウオッシャ液Ｗの中に挿入される合成樹脂製で透明又は半透明のチューブ１７とを備えている。そして、このウオッシャタンク用レベルゲージ１０は、インレット７の注入口９に取り外し自在に嵌合されるようになっている。
【００２３】
図１〜図３及び図８に示すように、キャップ１１の平坦部１１ａの裏面１１ｃには管部１２を囲むように同一円周軌跡上に４個の円弧状部材１１ｅをそれぞれ一体突出形成してある。この各円弧状部材１１ｅはインレット７の注入口９内に嵌合・離脱自在になっている。また、管部１２の先端部１２ａは各円弧状部材１１ｅより下方に突出するように長く形成してある。さらに、図１〜図３に示すように、キャップ１１をインレット７の注入口９内に嵌合した際に、該注入口９はキャップ１１の平坦部１１ａにより完全に覆われるようになっている。また、図２，図３に示すように、キャップ１１の平坦部１１ａの管部１２と円弧状部材１１ｅの間には外気連通用の空気抜き孔１１ｆを形成してある。
【００２４】
図１〜図３に示すように、スポイト体１３は、円板状の上部１３ａと、この上部１３ａの外周より下方に伸縮自在（弾性変形自在）に延びる蛇腹状の筒部１３ｂと、この筒部１３ｂの下端開口を閉塞すると共にキャップ１１の空気抜き孔１１ｄを該スポイト体１３の内部に連通する円板環状の下部１３ｃとで形成されており、この蛇腹状の筒部１３ｂの伸縮を利用して該筒部１３ｂ内にウオッシャ液Ｗを吸い上げるようになっている。また、スポイト体１３の上部１３ａの中央には空気抜き孔１３ｄを形成してある。さらに、スポイト体１３の筒部１３ｂの所定位置には残量有無表示ライン１３ｅを横方向に形成してある。また、スポイト体１３の円板環状の下部１３ｃの中央下端には、環状ボス部１３ｆを一体に突出形成しており、該環状ボス部１３ｆの全外周とキャップ１１の表面１１ｂ間を溶着することで、スポイト体１３がキャップ１１に取り付けられる。
【００２５】
尚、スポイト体１３を柔軟な樹脂製で透明又は半透明に形成すれば、スポイト体１３の筒部１３ｂ内に吸い込まれたウオッシャ液Ｗの量及び残量有無表示ライン１３ｅの確認が容易となる。
【００２６】
以上実施例１のウオッシャタンク用レベルゲージ１０によれば、ウオッシャタンク１内にウオッシャ液Ｗを注入する場合には、インレット７の注入口９からキャップ１１を取り外し、インレット７の注入口９からウオッシャ液Ｗを注入してウオッシャタンク１内にウオッシャ液Ｗを供給する。このウオッシャ液Ｗの供給終了後、長尺のチューブ１７をインレット７からウオッシャタンク１内の底面側まで完全に挿入し、その後でキャップ１１の各円弧状部材１１ｅをインレット７の注入口９内に嵌合してインレット７の注入口９をキャップ１１により完全に覆う。
【００２７】
次に、ウオッシャタンク１内のウオッシャ液Ｗの貯留量を計る場合には、まず、図２（ａ）及び図３（ａ）に示すように、スポイト体１３の蛇腹状の筒部１３ｂが伸張した状態にしておく。次に、図２（ｂ）及び図３（ｂ）に示すように、空気抜き孔１３ｄを指先で塞ぎながらスポイト体１３の円板状の上部１３ａを指先で押し付けて蛇腹状の筒部１３ｂを縮ませる。
【００２８】
そして、図２（ｃ）及び図３（ｃ）に示すように、スポイト体１３の円板状の上部１３ａの空気抜き孔１３ｄを指先で塞ぎながら蛇腹状の筒部１３ｂの弾性復帰力により該筒部１３ｂを伸張させると、図２（ｃ）に示すように、ウオッシャタンク１内にウオッシャ液Ｗの残量が有る場合には、スポイト体１３の蛇腹状の筒部１３ｂの伸張による負圧により大気の圧力に押されてチューブ１７内に残留したウオッシャ液Ｗが該蛇腹状の筒部１３ｂ内に吸い上げられる。さらに、図３（ｃ）に示すように、ウオッシャタンク１内にウオッシャ液Ｗの残量が無い場合には、スポイト体１３の蛇腹状の筒部１３ｂを伸張させても該蛇腹状の筒部１３ｂ内にウオッシャ液Ｗが吸い上げられることはない。これらにより、従来のように、キャップ１１をインレット７の注入口９から抜いて外すと共に、長尺のチューブ１７をウオッシャタンク１及びインレット７から引き抜くことなく、チューブ１７内に残留したウオッシャ液Ｗの量からウオッシャタンク１内のウオッシャ液Ｗの残量の有無が簡単かつ確実に確認される。
【００２９】
特に、図１に示すように、クランク状で三次元的に曲がっているインレット７を有したウオッシャタンク１でも、チューブ１７をクランク状で三次元的に曲がったインレット７からウオッシャタンク１内に挿入したり、引き抜くことなく、ウオッシャタンク１内のウオッシャ液Ｗの貯留量（残量）をスポイト体１３の筒部１３ｂに表示された残量有無表示ライン１３ｅにより簡単に計ってウオッシャタンク１内のウオッシャ液Ｗの残量の有無を簡単に確認することができる。
【実施例２】
【００３０】
図４は本発明の実施例２のウオッシャタンク用レベルゲージを示す断面図である。
【００３１】
この実施例２のウオッシャタンク用レベルゲージ１０Ａは、つまみ部１４を突設したスポイト体１３′を有している。このスポイト体１３′は、円板状の上部１３ａと、この上部１３ａの外周より下方に伸縮自在（弾性変形自在）に延びる蛇腹状の筒部１３ｂと、この筒部１３ｂの下端開口を閉塞すると共にキャップ１１の空気抜き孔１１ｄをスポイト体１３′の内部に連通する円板環状の下部１３ｃと、上部１３ａの上面中央に一体突出形成され、側部中央に空気抜き孔１４ｄを形成したつまみ部１４とで形成されている。また、スポイト体１３′の筒部１３ｂの所定位置には残量有無表示ライン１３ｅを横方向に形成してある。他の構成は、前記実施例１と同様であるため、同一構成部分に同一符号を付して詳細な説明は省略する。
【００３２】
この実施例２のウオッシャタンク用レベルゲージ１０Ａでは、スポイト体１３′の蛇腹状の筒部１３ｂの弾性復帰力を利用すると共に、空気抜き孔１４ｄを有するつまみ部１４をつまんで蛇腹状の筒部１３ｂを強制的に伸張させて該筒部１３ｂ内にウオッシャ液Ｗを吸い上げることができるようになっている。これにより、前記実施例１と同様に、チューブ１７をクランク状で三次元的に曲がったインレット７からウオッシャタンク１内に挿入したり、引き抜くことなく、ウオッシャタンク１内のウオッシャ液Ｗの貯留量（残量）をスポイト体１３′の筒部１３ｂに表示された残量有無表示ライン１３ｅにより簡単に計ってウオッシャタンク１内のウオッシャ液Ｗの残量の有無を簡単に確認することができる。
【実施例３】
【００３３】
図５は本発明の実施例３のウオッシャタンク用レベルゲージを示す断面図である。
【００３４】
この実施例３のウオッシャタンク用レベルゲージ１０Ｂは、所謂注射器タイプのものである。即ち、キャップ１１′の円板状の平坦部１１ａの表面（上部）１１ｂの中央に形成される空気抜き孔１１ｄと該平坦部１１ａの裏面（下部）１１ｃの中央に該空気抜き孔１１ｄと連通するように一体突出形成された円筒状の管部とを、前記実施例１の円筒状の管部１２より大径の円筒状の筒部１５で一体形成したものであり、該円筒状の筒部１５の先細の先端部１５ａに合成樹脂製で透明又は半透明のチューブ１７を連結してある。そして、この円筒状の筒部１５内に円柱状のスポイト体１６を摺動自在に支持してある。また、円筒状の筒部１５の所定位置に残量有無表示ライン１５ｅを形成してある。他の構成は、前記実施例１と同様であるため、同一構成部分に同一符号を付して詳細な説明は省略する。
【００３５】
この実施例３のウオッシャタンク用レベルゲージ１０Ｂでは、キャップ１１′の中央に一体形成された円筒状の筒部１５内より円柱状のスポイト体１６を引き抜くように移動させることで、該円筒状の筒部１５内にウオッシャ液Ｗを吸い上げることができるようになっている。これにより、前記実施例１と同様に、チューブ１７をクランク状で三次元的に曲がったインレット７からウオッシャタンク１内に挿入したり、引き抜くことなく、ウオッシャタンク１内のウオッシャ液Ｗの貯留量（残量）を円筒状の筒部１５に表示された残量有無表示ライン１５ｅにより簡単に計ってウオッシャタンク１内のウオッシャ液Ｗの残量の有無を簡単に確認することができる。
【実施例４】
【００３６】
図６は本発明の実施例４のウオッシャタンク用レベルゲージを示す断面図、図７は同レベルゲージによるウオッシャ液の残量の計測状態を示す断面図である。
【００３７】
この実施例４のウオッシャタンク用レベルゲージ１０Ｃのスポイト体１３″は、円板状の上部１３ａと、この上部１３ａの外周より下方に伸縮自在（弾性変形自在）に延びる蛇腹状の筒部１３ｂと、この筒部１３ｂの下端開口を閉塞すると共にキャップ１１の空気抜き孔１１ｄをスポイト体１３″の内部に連通する円板環状の下部１３ｃとで形成されている。さらに、スポイト体１３″の筒部１３ｂの所定位置には残量有無表示ライン１３ｅを横方向に形成してあるが、その上部１３ａの中央には前記実施例１のような空気抜き孔１３ｄは形成されていない。他の構成は、前記実施例１と同様であるため、同一構成部分に同一符号を付して詳細な説明は省略する。
【００３８】
この実施例４のウオッシャタンク用レベルゲージ１０Ｃでは、スポイト体１３″の上部１３ａにはボンネットのフードインナ２０が押圧、離反自在に設けられている。そして、図６に示すように、ボンネットを閉めた時は、フードインナ２０でスポイト体１３″の円板状の上部１３ａを押し付けて蛇腹状の筒部１３ｂを縮ませた状態にしておく。
【００３９】
これにより、図７に示すように、ボンネットを開けると、フードインナ２０がスポイト体１３″の円板状の上部１３ａから離れて、その蛇腹状の筒部１３ｂが弾性復帰力により伸張して該筒部１３ｂ内にウオッシャ液Ｗを吸い上げることができる。その結果、ボンネットを開けただけで、チューブ１７をクランク状で三次元的に曲がったインレット７からウオッシャタンク１内に挿入したり、引き抜くことなく、ウオッシャタンク１内のウオッシャ液Ｗの貯留量（残量）をスポイト体１３″の筒部１３ｂに表示された残量有無表示ライン１３ｅにより簡単に計ってウオッシャタンク１内のウオッシャ液Ｗの残量の有無を簡単に確認することができる。
【図面の簡単な説明】
【００４０】
【図１】本発明の実施例１のウオッシャタンク用レベルゲージを備えたウオッシャタンクを一部断面で示す正面図である。
【図２】（ａ）〜（ｃ）はウオッシャ液の残量が有る場合の上記実施例１のウオッシャタンク用レベルゲージによる計測状態を順を追って説明する断面図である。
【図３】（ａ）〜（ｃ）はウオッシャ液の残量が無い場合の上記実施例１のウオッシャタンク用レベルゲージによる計測状態を順を追って説明する断面図である。
【図４】本発明の実施例２のウオッシャタンク用レベルゲージを示す断面図である。
【図５】本発明の実施例３のウオッシャタンク用レベルゲージを示す断面図である。
【図６】本発明の実施例４のウオッシャタンク用レベルゲージを示す断面図である。
【図７】上記実施例４のウオッシャタンク用レベルゲージによるウオッシャ液の残量の計測状態を示す断面図である。
【図８】図２（ａ）〜図２（ｃ）に示すキャップの底面図である。
【符号の説明】
【００４１】
１  ウオッシャタンク
７  インレット
９  注入口
１０，１０Ａ，１０Ｂ，１０Ｃ  ウオッシャタンク用レベルゲージ
１１，１１′  キャップ
１１ｂ  表面（上部）
１１ｃ  裏面（下部）
１１ｄ  空気抜き孔
１２  円筒状の管部
１３，１３′，１３″  スポイト体
１３ａ  円板状の上部
１３ｂ  筒部
１３ｃ  円板環状の下部
１３ｄ  空気抜き孔
１３ｅ  残量有無表示ライン
１４  つまみ部
１４ｄ  空気抜き孔
１５  円筒状の筒部
１５ｅ  残量有無表示ライン
１６  円柱状のスポイト体
１７  チューブ
２０  ボンネットのフードインナ
Ｗ  ウオッシャ液
【図１】
2006111131.tif 000003
【図２】
2006111131.tif 000004
【図３】
2006111131.tif 000005
【図４】
2006111131.tif 000006
【図５】
2006111131.tif 000007
【図６】
2006111131.tif 000008
【図７】
2006111131.tif 000009
【図８】
2006111131.tif 000010